(57)【要約】【課題】仕切具が地球引力または遠心力によって倒れることがないこと。【解決手段】リニア伝動部材の内部の各ボールの間に設置される磁性付き仕切具において、前記仕切具の内部には磁性付き収容物が設けてあり、ボールは磁気伝導性を有し、前記磁性付き収容物とボールは互いに吸引する。【選択図】図７
2007205408.tif 000002
【特許請求の範囲】
【請求項１】
リニア伝動部材の内部の各ボールの間に設置される磁性付き仕切具において、
前記仕切具の内部には磁性付き収容物が設けてあり、
ボールは磁気伝導性を有し、
前記磁性付き収容物とボールは互いに吸引することを特徴とする、
磁性付き仕切具。
【請求項２】
前記仕切具は、その両面には両側にあるボールの形状に対応する窪みが形成してあり、その内部には収容空間が少なくとも一つ開設してあり、前記磁性付き収容物が仕切具の収容空間内に収容されることを特徴とする、請求項１に記載の磁性付き仕切具。
【請求項３】
前記仕切具は、その両面には両側にあるボールの形状に対応する窪みが形成してあり、その内部には前記窪みに応じて環状収容空間が一つ開設してあり、前記磁性付き収容物が仕切具の環状収容空間内に収容されることを特徴とする、請求項１に記載の磁性付き仕切具。
【請求項４】
前記仕切具の内部の収容空間は前記仕切具の中心に対して対称しなく、且つ前記磁性付き収容物の比重は前記仕切具よりも大きいことを特徴とする、請求項２に記載の磁性付き仕切具。
【請求項５】
前記仕切具は、その両面には両側にあるボールの形状に対応する窪み及び貫通孔が形成してあり、前記貫通孔の近傍には収容空間が少なくとも二つ開設してあり、なお、前記磁性付き収容物が前記収容空間内に収容されることを特徴とする、請求項２に記載の磁性付き仕切具。
【発明の詳細な説明】
【技術分野】
【０００１】
本発明は、リニア伝動部材の内部に使用される磁性付き仕切具に関するものである。
【背景技術】
【０００２】
目下、市販しているボールねじのシステムは、図１に示すように、衝撃、摩擦および騒音を低減するために、各ボール１０の間に仕切具１１が設けられている。仕切具１１の小型化、単一材質および一体化がユーザから要求されている。
【０００３】
しかし、ボールねじ内に大量のボール１０を設置した後、ボール１０の間に隙間を残すことが必要である。そうしないと、ボールねじ内の各ボール１０は順調に転がらないが、ボール１０の間に残る隙間が集中になれば、仕切具１１が容易に倒れるスペースが形成される。ねじ軸１６の表面に倒れた仕切具１１はボール１０の転がりに悪影響を与える。例えばねじ軸１６の回転に従って図５に示す仕切具１１の重心が倒れた位置の中心に保持し、仕切具１１が自動的に立ち上がる可能性は全くなく、更に、ボールねじ全体の運行が不能になることもあった。
【０００４】
従来のものを実際に使用するときに、ボール１０の転がり速度の不均一はボール１０の間の距離が過大になって仕切具１１を挟むことができない原因になる。仕切具１１の倒れ又は仕切具１１がねじ軸およびナットと摩擦して発熱することもよくある。これにより、ボールねじ又はリニアガイドウェーの使用寿命と工作効率が低下する。
【０００５】
図２に示す従来のものは、仕切具１１のボール１０と接触する内壁が平面と曲面の組合せのものである。射出成形およびインジェックション作業の便利性のために溝１２，１３が左右に設けてある。しかし、ボール１０の間に残る隙間が集中になれば、仕切具１１が容易に倒れるスペースが形成され、且つ仕切具１１が自動的に立ち上がる可能性が全くなく、ひいてはボールねじ全体が運行不能になることもあった。
【０００６】
図３に示す米国特許ＵＳ６５１３９７８号は、仕切具１１の外リングに環状溝１４が設けてあるが、ボール１０の間に残る隙間が集中になれば、仕切具１１が容易に倒れるスペースが形成され、図５に示すように、仕切具１１が自動的に立ち上がる可能性は全くなく、ひいてはボールねじ全体が運行不能になることもあった。
【０００７】
図４に示す米国特許ＵＳ６３４７５５８号は、仕切具１１の内外面が全てゴシック形状である。そうすると、内外面は円弧面を呈する。このような仕切具１１は倒れても転がることができるが、ねじ軸１６の上で仕切具１１が完全に倒れると、図５に示すように、仕切具１１は依然として自動的に立ち上がる可能性は全くなく、ひいてはボールねじ全体が運行不能になることもあった。
【発明の開示】
【発明が解決しようとする課題】
【０００８】
本発明の主な目的は、仕切具が地球引力または遠心力によって倒れることがなくなる磁性付き仕切具を提供することにある。
【課題を解決するための手段】
【０００９】
上記目的を達成するためになされた本願の発明は、リニア伝動部材の内部の各ボールの間に設置される磁性付き仕切具において、前記仕切具の内部には磁性付き収容物が設けてあり、ボールは磁気伝導性を有し、前記磁性付き収容物とボールは互いに吸引（磁力による吸着）することを特徴とする磁性付き仕切具であることを要旨としている。
【００１０】
本願の発明では、前記仕切具は、その両面には両側にあるボールの形状に対応する窪みが形成してあり、その内部には収容空間が少なくとも一つ開設してあり、前記磁性付き収容物が仕切具の収容空間内に収容されることを特徴とする請求項１に記載の磁性付き仕切具であることを要旨としている。
【００１１】
本願の発明では、前記仕切具は、その両面には両側にあるボールの形状に対応する窪みが形成してあり、その内部には前記窪みに応じて環状収容空間が一つ開設してあり、前記磁性付き収容物が仕切具の環状収容空間内に収容されることを特徴とする請求項１に記載の磁性付き仕切具であることを要旨としている。
【００１２】
本願の発明では、前記仕切具の内部の収容空間は前記仕切具の中心に対して対称しなく（非対称、又は対称空間ではなく）、且つ前記磁性付き収容物の比重は前記仕切具よりも大きいことを特徴とする請求項２に記載の磁性付き仕切具であることを要旨としている。
【００１３】
本願の発明では、前記仕切具は、その両面には両側にあるボールの形状に対応する窪み及び貫通孔が形成してあり、前記貫通孔の近傍には収容空間が少なくとも二つ開設してあり、前記磁性付き収容物が前記収容空間内に収容されることを特徴とする請求項２に記載の磁性付き仕切具であることを要旨としている。
【発明の効果】
【００１４】
本考案に係る磁性付き仕切具によれば、仕切具は地球引力または遠心力によって倒れることがなくなる。
【発明を実施するための最良の形態】
【００１５】
以下、添付図面を参照して本発明の好適な実施の形態を詳細に説明する。
【００１６】
まず、図６乃至図８に示すのは本発明の実施例１である。本発明に係る仕切具３０は、ボールねじ又はリニアガイドウェー内の各ボール２０の間に設置され、ねじ軸５０の螺旋面で移動する。
【００１７】
前記仕切具３０は、両側にあるボール２０に応じてゴシック式の窪み３１が設けてあり、且つその内部には収容空間３２が少なくとも一つ開設してある。
【００１８】
磁性付き収容物４０は、仕切具３０の収容空間３２内に収容され、磁力によりボール２０と互いに吸引する。
【００１９】
前記窪み３１は、ゴシック式でもいいし、円弧式でもよく、且つ摩擦を低減するために、その表面に凹凸処理が施され、また、前記ボールの材質は、特別に限定されなく、その材質が磁気伝導性を有するもの（例えばFe、Co、Niなど）であればよく、すなわち、磁気伝導性を持つ材質の種類を変化して使用しても、全て本発明の特許請求範囲に属する。
【００２０】
また、図８を参照する。本発明の磁性付き収容物４０が仕切具３０の収容空間３２内に収容され、ボール２０の材質が磁気伝導性を有するので、磁性付き収容物４０とボール２０は互いに磁力によって互いに吸引し、磁力のもっとも強い箇所はボール２０の球心から引くラインにあり、しかし、前記両者の接触箇所は窪み３１の両側にあり（一般の窪みはゴシック式であり）、だから、ボール２０は磁性付き収容物４０の周囲の被覆層と直接に摩擦しなく、ボール２０と磁性付き収容物４０を仕切るための部分の磨耗を回避することができる。
【００２１】
一列のボール２０の全部の残った隙間がねじ軸５０の螺旋の一箇所に集中する場合には、仕切具３内にある磁性付き収容物４０とその一側のボール２０の互いの磁力により、仕切具３が前記ボール２０に吸着される。そのため、本発明によれば、仕切具が地球引力または遠心力によって倒れることがなくなり、ボールねじの運行不能を防止することができ、部材を分解して修理することも必要なくなる。
【００２２】
また、図９に示すのは本発明の実施例２であって、本例の仕切具３０は、その両面には両側にあるボール２０の形状に対応する窪み３１が形成してあり、その内部には前記窪み３１に応じて環状収容空間６０が一つ開設してあり、前記磁性付き収容物４０が仕切具３０の環状収容空間６０内に収容され（ドーナツ形状に似ている）、前記環状収容空間６０により、仕切具３０の磁性付き収容物４０の充填量が増加して、離間距離が減少する。そうすると、本発明に係る仕切具３０がもっと安定で有効にボール２０を吸着することができる。
【００２３】
また、図１０に示すのは本発明の実施例３であって、本例の前記仕切具３０は、その両面には両側にあるボール２０の形状に対応する窪み３１及び貫通孔６１が形成してある。前記貫通孔６１の近傍には円形の収容空間６３が二つ開設してある。前記磁性付き収容物４０が前記二つの収容空間６３内に収容され、前記窪み３１により、仕切具３０の磁性付き収容物４０がもっと安定で有効にボール２０を吸着することができ、且つ前記貫通孔６１により、両側にあるボール２０と仕切具３０の摩擦が低減になる。
【００２４】
最後に、図１１乃至図１３に示すのは本発明の実施例４であって、仕切具３０は、その両面には両側にあるボール２０の形状に対応する半円形状収容空間６２が形成してある。前記半円形状収容空間６２が仕切具３０の中心から若干にずれてあり、且つ比重が前記仕切具３０と異なる材料で作製された磁性付き収容物４０が仕切具３０の半円形状収容空間６２内に収容される。
【００２５】
前記半円形状収容空間６２の比重が磁性付き収容物４０と異なることにより、仕切具３０が重心が中心から若干にずれ、且つ運行している際に、地球引力または遠心力により磁性付き収容物が仕切具３０の外側に位置するので、仕切具３０の倒れを防止することができる。ボール２０の衝撃力が磁性吸着力よりも大きくて仕切具３０がボール２０から離脱した場合には、重心ずれ（偏心）効果により、仕切具３０がねじ軸５０の周面に沿って自転し、遠心力により重心がずれた仕切具３０は快速に自転して本来の状態に回復してボール２０に吸着する。
【００２６】
もちろん、本発明は、リニアガイドウェーとボールねじに適用でき、更に、仕切具とボールを使用する何れかのリニア伝動部材にも適用でき、それらは全て本発明の特許請求範囲に属する。
【図面の簡単な説明】
【００２７】
【図１】従来のものの構成を示す概略図である。
【図２】従来の別のものの構成を示す概略図である。
【図３】米国特許ＵＳ６５１３９７８号で提案した従来のものの構成を示す概略図である。
【図４】米国特許ＵＳ６３４７５５８号で提案した従来のものの構成を示す概略図である。
【図５】従来のボールねじのシステムの原理を示す概略図である。
【図６】本発明に係る仕切具を示す概略図である。
【図７】本発明に係る実施例１の側面図である。
【図８】本発明に係る実施例１のボールねじのシステムを示す概略図である。
【図９】本発明に係る実施例２の側面図である。
【図１０】本発明に係る実施例３の側面図である。
【図１１】本発明に係る実施例４の仕切具を示す概略図である。
【図１２】本発明に係る実施例４の側面図である。
【図１３】本発明に係る実施例４のボールねじのシステムを示す概略図である。
【符号の説明】
【００２８】
１０      ボール                １１      仕切具
１２，１３    溝
１４      環状溝                １５      円弧面
１６      ねじ軸                ２０      ボール
３０      仕切具                ３１      窪み
３２      収容空間              ４０      磁性付き収容物
５０      ねじ軸                ６０      環状収容空間
６１      貫通孔                ６２      半円形状収容空間
６３      円形収容空間
【図１】
2007205408.tif 000003
【図２】
2007205408.tif 000004
【図３】
2007205408.tif 000005
【図４】
2007205408.tif 000006
【図５】
2007205408.tif 000007
【図６】
2007205408.tif 000008
【図７】
2007205408.tif 000009
【図８】
2007205408.tif 000010
【図９】
2007205408.tif 000011
【図１０】
2007205408.tif 000012
【図１１】
2007205408.tif 000013
【図１２】
2007205408.tif 000014
【図１３】
2007205408.tif 000015